(57)【要約】【課題】ピストンポンプのピストン２をシリンダ３内で往復移動させ、ピストンによって洗浄液を噴射する形式のスプレーガンにおいて、繊維製品によって洗浄液を変更することができ、洗浄液を大量に噴射することが要求されたとき、それに対応することもできるようにする。【解決手段】複数の洗浄液供給口５ａ，５ｂがシリンダに形成され、各供給口が洗浄液供給タンクに接続され、供給タンクの洗浄液が各供給口を通り、シリンダに供給される。【選択図】図２
2004202448.tif 000002
【特許請求の範囲】
【請求項１】
ピストンポンプのピストンをシリンダ内で往復移動させ、前記ピストンによって洗浄液を噴射するようにした洗浄液スプレーガンにおいて、
前記シリンダに形成された複数の洗浄液供給口と、
前記各供給口を洗浄液供給タンクに接続し、前記供給タンクの洗浄液を前記各供給口に通し、前記シリンダに供給する接続手段とを備えたことを特徴とする洗浄液スプレーガン。
【請求項２】
前記シリンダの同一軸方向位置において、前記各供給口が適宜の角度間隔を置いて形成されていることを特徴とする請求項１に記載の洗浄液スプレーガン。
【請求項３】
前記各供給口に開閉弁が設けられ、前記開閉弁によって前記各供給口が開かれ、閉じられるようにしたことを特徴とする請求項１または２に記載の洗浄液スプレーガン。
【請求項４】
前記開閉弁は流量制御弁からなることを特徴とする請求項３に記載の洗浄液スプレーガン。
【発明の詳細な説明】
【０００１】
【産業上の利用分野】
この発明は、洗浄液を噴射し、繊維製品を洗浄する洗浄液スプレーガンに関するものである。
【０００２】
【従来技術とその問題点】
繊維製品を洗浄するとき、洗浄液スプレーガンが一般に使用されている。たとえば、実用新案登録第２５８６４０６号公報（特許文献１）に記載されているスプレーガンがそれである。同公報のスプレーガンでは、ピストンポンプのピストンがシリンダ内で往復移動する。さらに、同公報のスプレーガンは単一の洗浄液供給口を有し、洗浄液供給口はシリンダに形成され、洗浄液供給タンクに接続される。したがって、供給タンクの洗浄液が洗浄液供給口を通り、シリンダに供給され、ピストンによって洗浄液が噴射され、繊維製品が洗浄される。
【０００３】
ところで、この場合、繊維製品に種々のものがあり、繊維製品によって洗浄液を変更することが要求され、その噴射量を調整することも要求される。しかしながら、同公報のスプレーガンは特定の洗浄液を噴射することができるだけであり、その噴射量も一定である。特に、洗浄液の噴射量が問題であり、洗浄液を大量に噴射することが要求されたとき、同公報のスプレーガンはそれに対応することができない。
【０００４】
【特許文献１】
実用新案登録第２５８６４０６号公報
【０００５】
【発明の目的】
したがって、この発明は、ピストンポンプのピストンをシリンダ内で往復移動させ、ピストンによって洗浄液を噴射する形式のスプレーガンにおいて、繊維製品によって洗浄液を変更することができ、洗浄液を大量に噴射することが要求されたとき、それに対応することもできるようにすべくなされたものである。
【０００６】
【発明の構成】
この発明によれば、複数の洗浄液供給口がシリンダに形成され、各供給口が洗浄液供給タンクに接続され、供給タンクの洗浄液が各供給口を通り、シリンダに供給される。
【０００７】
好ましい実施例では、シリンダの同一軸方向位置において、各供給口が適宜の角度間隔を置いて形成される。
【０００８】
さらに、各供給口に開閉弁が設けられ、開閉弁によって各供給口が開かれ、閉じられる。
【０００９】
開閉弁は流量制御弁からなる。
【００１０】
【実施例の説明】
以下、この発明の実施例を説明する。
【００１１】
図１はこの発明にかかるスプレーガンを示す。このスプレーガンは洗浄液を噴射し、繊維製品を洗浄するためのもので、洗浄液噴射ノズル１を有する。さらに、図２に示すように、このスプレーガンはピストンポンプのピストン２を有する。
この実施例では、シリンダ３がホルダ４にはめ込まれており、ピストン２はシリンダ３に挿入されている。そして、実用新案登録第２５８６４０６号公報のものと同様、ピストン２がシリンダ３内を往復移動し、ピストン２によって洗浄液が噴射される。さらに、噴射ノズル１がホルダ４に取り付けられており、洗浄液は噴射ノズル１から噴射される。したがって、洗浄液によって繊維製品を洗浄することができる。
【００１２】
さらに、このスプレーガンは複数の洗浄液供給口５ａ，５bを有し、洗浄液供給口５ａ，５bはシリンダ３に形成されている。この実施例では、シリンダ３の同一軸方向位置において、各供給口５ａ，５bが適宜の角度間隔を置いて形成されている。たとえば、２つの洗浄液供給口５ａ，５bが１８０°の角度間隔を置いて形成されている。さらに、各供給口５ａ，５bに開閉弁６ａ，６bが設けられており、開閉弁６ａ，６ｂによって各供給口５ａ，５bが開かれ、閉じられる。この実施例では、キャビティ７がホルダ４に形成され、供給口５ａ，５bに連通し、開閉弁６ａ，６bはキャビティ７に収容されている。さらに，キャビティ７にねじ８が形成され、環状金具９がそれにねじ合わされ、取り付けられ、開閉弁６ａ，６bにロッド状のものが使用され、これが環状金具９にはめ合わされており、キャビティ７内において、スプリング１０が開閉弁６ａ，６bに作用し、開閉弁６ａ，６ｂがOリング１１に押し付けられる。したがって、開閉弁６ａ，６ｂおよびOリング１１によって各供給口５ａ，５bが閉じられるものである。さらに、環状金具９にねじ１２が形成されており、開閉弁６ａ，６bのまわりにおいて、ブロック１３がねじ１２にねじ合わされている。さらに、レバー１４がブロック１３に設けられ、Eリング１５が開閉弁６ａ，６bに設けられており、レバー１４によってブロック１３を回転させると、ねじ１２によってブロック１３が軸方向移動し、ブロック１３がＥリング１５に係合する。その後、ブロック１３およびEリング１５によって開閉弁６ａ，６bが軸方向移動し、図３に示すように、開閉弁６ａ，６ｂがOリング１１から離れる。これによって各供給口５ａ，５ｂが開かれるものである。
【００１３】
さらに、このスプレーガンでは、各供給口５ａ，５bが洗浄液供給タンクに接続される。この実施例では、接続する手段に２つの供給ホース１６ａ，１６bが使用されている。さらに、開閉弁６ａ，６bに軸方向みぞ１７および半径方向みぞ１８が形成されており、軸方向みぞ１７は半径方向みぞ１８に連通し、半径方向みぞ１８はキャビティ７に開口し、供給ホース１６ａ，１６ｂは開閉弁６ａ，６ｂに連結され、軸方向みぞ１７に接続されている。したがって、たとえば、洗浄液供給タンクとして２つの供給タンク１９ａ，１９bを設け、一方の供給ホース１６ａを一方の供給タンク１９ａに接続すると、供給ホース１６ａによって供給口５ａと供給タンク１９ａを接続することができ、他方の供給ホース１６bを他方の供給タンク１９bに接続すると、接続ホース１６ｂによって供給口５bと供給タンク１９bを接続することができる。洗浄液供給タンクとして共通の供給タンク２０を設け、各供給ホース１６ａ，１６bを共通の供給タンク２０に接続すると、供給ホース１６ａ，１６bによって供給口５ａ，５bと供給タンク２０を接続することもできる。
【００１４】
したがって、このスプレーガンにおいて、２つの供給タンク１９ａ，１９bに互いに異なる洗浄液を充填し、供給ホース１６ａ，１６bによって供給口５ａ，５ｂと供給タンク１７ａ，１７bを接続する。そして、開閉弁６ａ，６bによって一方の供給口５ａを開き、他方の供給口５bを閉じると、供給タンク１９ａの洗浄液を一方の供給口５ａに通し、シリンダ３に供給し、ピストン２によってそれを噴射することができる。反対に、開閉弁６ａ，６bによって一方の供給口５ａを閉じ、他方の供給口５bを開くと、供給タンク１９bの洗浄液を他方の供給口５bに通し、シリンダ３に供給し、ピストン２によってそれを噴射することができる。したがって、繊維製品によって洗浄液を変更することができる。
【００１５】
さらに、レバー１４によって開閉弁６ａ，６bを軸方向移動させ、その位置および開度を調節することもできる。開閉弁６ａ，６bの開度とは開閉弁６ａ，６bとOリング１１間の距離のことである。したがって、開閉弁６ａ，６bは流量制御弁であり、洗浄液の供給量および噴射量を調整することができる。
【００１６】
開閉弁６ａ，６ｂによって各供給口５ａ，５ｂを開き、供給タンク１９ａ，１９ｂの洗浄液を各供給口５ａ，５bに通し、シリンダ３に供給し、適宜混合することもでき、ピストン２によってそれを噴射することもできる。開閉弁６ａ，６bが流量制御弁であることは前述したとおりであり、洗浄液を適宜混合するとき、その混合比を任意に調整することもできる。
【００１７】
さらに、洗浄液を大量に噴射することが要求されたとき、供給ホース１６ａ，１６ｂによって供給口５ａ，５ｂと供給タンク２０を接続する。そして、開閉弁６ａ，６ｂによって各供給口５ａ，５bを開くと、供給タンク２０の洗浄液を一方の供給口５ａに通し、シリンダ３に供給することができ、他方の供給口５bに通し、シリンダ３に供給することができる。したがって、洗浄液を大量に供給し、大量に噴射することができる。開閉弁６ａ，６bによってその流量を制御し、洗浄液の噴射量を調整することもできる。
【００１８】
【発明の効果】
以上説明したように、この発明によれば、繊維製品によって洗浄液を変更することができる。洗浄液を適宜混合することもでき、その混合比を任意に調整することもできる。洗浄液を大量に噴射することが要求されたとき、それに対応することもでき、所期の目的を達成することができるものである。
【図面の簡単な説明】
【図１】この発明の実施例を示す説明図である。
【図２】図１のスプレーガンの断面図である。
【図３】図２の開閉弁が開かれた状態を示す断面図である。
【符号の説明】
２  ピストン
３  シリンダ
５ａ，５ｂ  洗浄液供給口
６ａ，６ｂ  開閉弁
１６ａ，１６ｂ  供給ホース
１９ａ，１９ｂ，２０  洗浄液供給タンク
【図１】
2004202448.tif 000003
【図２】
2004202448.tif 000004
【図３】
2004202448.tif 000005